(57)【要約】【課題】繊維処理剤として使用する前に硫黄含有香料前駆体が分解してしまうことが抑制されている、繊維処理剤組成物を提供する。【解決手段】繊維処理剤組成物（但し、柔軟剤組成物を除く）であって、（Ａ）カチオン性界面活性剤、（Ｂ）硫黄含有香料前駆体、及び（Ｃ）水溶性溶剤を含み、  （Ａ）成分の含量が、該繊維処理剤組成物の総質量に対して０．０１〜１質量％である、繊維処理剤組成物。【選択図】なし【特許請求の範囲】
【請求項１】
繊維処理剤組成物（但し、柔軟剤組成物を除く）であって、
（Ａ）カチオン性界面活性剤、
（Ｂ）硫黄含有香料前駆体、及び
（Ｃ）水溶性溶剤
を含み、
（Ａ）成分の含量が、該繊維処理剤組成物の総質量に対して０．０１〜１質量％である、繊維処理剤組成物。
【請求項２】
繊維処理剤組成物であって、
（Ａ）カチオン性界面活性剤、
（Ｂ）硫黄含有香料前駆体、及び
（Ｃ）水溶性溶剤
を含み、
（Ａ）成分の含量が、該繊維処理剤組成物の総質量に対して０．０１〜１質量％であり、
柔軟基剤を含まない、繊維製品処理剤組成物。
【請求項３】
（Ａ）成分が、下記一般式（Ａ−１）：
2017214670.tif 000012
（式中、
Ｒは、それぞれ独立して、炭素数１〜２４のアルキル基（該アルキル基は、酸素及び／又はベンゼン環を更に含んでいてもよく、又は、窒素原子と一緒になってピリジン環を形成してもよい）を表し、
但し、少なくとも１つのＲは、炭素数１〜３の直鎖又は分岐したアルキル基であり、
Ｘは陰イオンを表す。）
で表される４級アンモニウム化合物である、請求項１又は２に記載の繊維処理剤組成物。
【請求項４】
（Ｂ）成分が、下記一般式（Ｂ−１）：
Ｙ−Ｓ−Ｇ−Ｑ  （Ｂ−１）
（式中、
Ｙは、以下に示した基（Ｙ−１）〜（Ｙ−７）からなる群より選択される基又はその異性体を表し、
2017214670.tif 000013
（（Ｙ−１）〜（Ｙ−７）の各式中、波線はＹ−Ｓ結合の位置を表し、点線は単結合又は二重結合の位置を表す）、
Ｓは、硫黄原子を表し、
Ｇは、２〜１５個の炭素原子を有する直鎖状又は分枝鎖状のアルキル基又はアルケニル基から誘導される２価又は３価の基を表し（前記２価又は３価の基は、場合により−ＯＲ11、−ＮＲ112、−ＣＯＯＲ11及びＲ11基（各基中、Ｒ11は、水素原子又はＣ1〜Ｃ6アルキル基又はアルケニル基を表す）からなる群から選択される１つ以上の基で置換されていてもよい）、
Ｑは、水素原子、−Ｓ−Ｙ基又は−ＮＲ12−Ｙ基（各基中、Ｙは上記のように規定され、且つ、Ｒ12が水素原子又はメチル基である）を表す。）
で表される化合物である、請求項１〜３のいずれか１項に記載の繊維処理剤組成物。
【請求項５】
（Ｂ）成分に対する（Ａ）成分の質量比（（Ａ）成分の質量／（Ｂ）成分の質量）が、０．１〜１００００である、請求項１〜４のいずれか１項に記載の繊維処理剤組成物。
【請求項６】
（Ｃ）成分が、炭素数２〜３の１級アルコール、炭素数２〜６のグリコール、及び炭素数３〜８の多価アルコールからなる群より選ばれる、請求項１〜５のいずれか１項に記載の繊維処理剤組成物。
【請求項７】
繊維処理剤が芳香剤として用いられるものである、請求項１〜６のいずれか１項に記載の繊維処理剤組成物。
【請求項８】
更に、（Ｄ）２価の水溶性金属塩又はその水和物を含む、請求項１〜７のいずれか１項に記載の繊維処理剤組成物。
【請求項９】
更に、下記一般式（Ｅ−１）：
2017214670.tif 000014
（式中、
ＡIは炭素数８〜２２の直鎖又は分岐アルキル基、スルホ基、アミノ基、水酸基、水素原子又はＣＯＯＭIを表し、
ＭIは、互いに同一でも異なっていてもよく、それぞれ水素原子、アルカリ金属、アルカリ土類金属、カチオン性アンモニウム基及びアルカノールアミンからなる群より選ばれる１種を示し、
ｍI及びｎIは、それぞれ０〜２の整数である。）
で表される化合物を含む、請求項１〜８のいずれか１項に記載の繊維処理剤組成物。
【請求項１０】
繊維処理剤が消臭剤としても用いられるものである、請求項８又は９に記載の繊維処理剤組成物。
【請求項１１】
更に、シリコーン化合物を含む、請求項１〜１０のいずれかに記載の繊維処理剤組成物。
【請求項１２】
繊維処理剤がしわ取り剤としても用いられるものである、請求項１１に記載の繊維処理剤組成物。
【請求項１３】
噴霧用繊維処理剤組成物である、請求項１〜１２のいずれか１項に記載の繊維処理剤組成物。
【請求項１４】
請求項１３に記載の噴霧用繊維処理剤組成物と、該組成物を収納する容器とを含む、繊維処理剤。
【発明の詳細な説明】
【技術分野】
【０００１】
本発明は、繊維処理剤組成物に関する。詳細には、本発明は、繊維処理剤として使用する前に硫黄含有香料前駆体が分解してしまうことが抑制されている繊維処理剤組成物に関する。
【背景技術】
【０００２】
香料分野では、香りの持続性をもたらす手段として、香料と不揮発性の基質とを化学的に結合させた香料前駆体の技術が知られている。香料前駆体は、光や熱、水などのトリガーによる前記化学結合の切断により、徐々に香料を放出する。特にチオールとα、β不飽和ケトン型香料が結合したタイプの硫黄含有香料前駆体は、香りの持続効果が高いことが知られている（特許文献１及び２）。また、硫黄含有香料前駆体を配合した洗剤や柔軟剤等が知られている（特許文献１〜５）。
【先行技術文献】
【特許文献】
【０００３】
【特許文献１】特表２００５-５１１７１０号公報
【特許文献２】特開２０１０-２１５９１０号公報
【特許文献３】特表２０１４-５１１４１４号公報
【特許文献４】国際公開第２０１４／１７６３９２号
【特許文献５】国際公開第２０１５／０７３２２３号
【発明の概要】
【発明が解決しようとする課題】
【０００４】
硫黄含有香料前駆体の新たな用途として、本発明者は柔軟剤以外の繊維処理剤（例えば、芳香剤、消臭剤や、しわとり剤）（以下、「繊維処理剤」ともいう）を検討したところ、硫黄含有香料前駆体と水溶性溶剤とを用いて調製した繊維処理剤では、繊維処理剤として使用する前に、硫黄含有香料前駆体の分解（香料と不揮発性基質との間の結合の切断）が起こり、香料が放出されてしまうという現象が生じることを見いだした。
かかる現象について、本発明者は詳細な分析を行ったところ、繊維処理剤中に含まれる水溶性溶剤が硫黄含有香料前駆体の分解を促進していることを見いだした。
【課題を解決するための手段】
【０００５】
水溶性溶剤による硫黄含有香料前駆体の分解促進という課題を解決すべく、本発明者は鋭意検討したところ、カチオン性界面活性剤を特定量で配合すると、繊維処理剤使用前の硫黄含有香料前駆体の分解が抑制されることを見いだした。本発明は、この知見に基づいてなされたものである。
【０００６】
すなわち、本発明は、以下に関するものである。
１．繊維処理剤組成物（但し、柔軟剤組成物を除く）であって、
（Ａ）カチオン性界面活性剤、
（Ｂ）硫黄含有香料前駆体、及び
（Ｃ）水溶性溶剤
を含み、
（Ａ）成分の含量が、該繊維処理剤組成物の総質量に対して０．０１〜１質量％である、繊維処理剤組成物。
２．繊維処理剤組成物であって、
（Ａ）カチオン性界面活性剤、
（Ｂ）硫黄含有香料前駆体、及び
（Ｃ）水溶性溶剤
を含み、
（Ａ）成分の含量が、該繊維処理剤組成物の総質量に対して０．０１〜１質量％であり、
柔軟基剤を含まない、繊維製品処理剤組成物。
３．（Ａ）成分が、下記一般式（Ａ−１）：
2017214670.tif 000002
（式中、
Ｒは、それぞれ独立して、炭素数１〜２４のアルキル基（該アルキル基は、酸素及び／又はベンゼン環を更に含んでいてもよく、又は、窒素原子と一緒になってピリジン環を形成してもよい）を表し、
但し、少なくとも１つのＲは、炭素数１〜３の直鎖又は分岐したアルキル基であり、
Ｘは陰イオンを表す。）
で表される４級アンモニウム化合物である、前記１又は２に記載の繊維処理剤組成物。
４．（Ｂ）成分が、下記一般式（Ｂ−１）：
Ｙ−Ｓ−Ｇ−Ｑ  （Ｂ−１）
（式中、
Ｙは、以下に示した基（Ｙ−１）〜（Ｙ−７）からなる群より選択される基又はその異性体を表し、
2017214670.tif 000003
（（Ｙ−１）〜（Ｙ−７）の各式中、波線はＹ−Ｓ結合の位置を表し、点線は単結合又は二重結合の位置を表す）、
Ｓは、硫黄原子を表し、
Ｇは、２〜１５個の炭素原子を有する直鎖状又は分枝鎖状のアルキル基又はアルケニル基から誘導される２価又は３価の基を表し（前記２価又は３価の基は、場合により−ＯＲ11、−ＮＲ112、−ＣＯＯＲ11及びＲ11基（各基中、Ｒ11は、水素原子又はＣ1〜Ｃ6アルキル基又はアルケニル基を表す）からなる群から選択される１つ以上の基で置換されていてもよい）、
Ｑは、水素原子、−Ｓ−Ｙ基又は−ＮＲ12−Ｙ基（各基中、Ｙは上記のように規定され、且つ、Ｒ12が水素原子又はメチル基である）を表す。）
で表される化合物である、前記１〜３のいずれか１項に記載の繊維処理剤組成物。
５．（Ｂ）成分に対する（Ａ）成分の質量比（（Ａ）成分の質量／（Ｂ）成分の質量）が、０．１〜１００００である、前記１〜４のいずれか１項に記載の繊維処理剤組成物。
６．（Ｃ）成分が、炭素数２〜３の１級アルコール、炭素数２〜６のグリコール、及び炭素数３〜８の多価アルコールからなる群より選ばれる、前記１〜５のいずれか１項に記載の繊維処理剤組成物。
７．繊維処理剤が芳香剤として用いられるものである、前記１〜６のいずれか１項に記載の繊維処理剤組成物。
８．更に、（Ｄ）２価の水溶性金属塩又はその水和物を含む、前記１〜７のいずれか１項に記載の繊維処理剤組成物。
９．更に、下記一般式（Ｅ−１）：
2017214670.tif 000004
（式中、
ＡIは炭素数８〜２２の直鎖又は分岐アルキル基、スルホ基、アミノ基、水酸基、水素原子又はＣＯＯＭIを表し、
ＭIは、互いに同一でも異なっていてもよく、それぞれ水素原子、アルカリ金属、アルカリ土類金属、カチオン性アンモニウム基及びアルカノールアミンからなる群より選ばれる１種を示し、
ｍI及びｎIは、それぞれ０〜２の整数である。）
で表される化合物を含む、前記１〜８のいずれか１項に記載の繊維処理剤組成物。
１０．繊維処理剤が消臭剤としても用いられるものである、前記８又は９に記載の繊維処理剤組成物。
１１．更に、シリコーン化合物を含む、前記１〜１０のいずれかに記載の繊維処理剤組成物。
１２．繊維処理剤がしわ取り剤としても用いられるものである、前記１１に記載の繊維処理剤組成物。
１３．噴霧用繊維処理剤組成物である、前記１〜１２のいずれか１項に記載の繊維処理剤組成物。
１４．前記１３に記載の噴霧用繊維処理剤組成物と、該組成物を収納する容器とを含む、繊維処理剤。
【発明の効果】
【０００７】
後述の実施例で示されるように、本発明の繊維処理剤組成物は、繊維処理剤として使用する前の硫黄含有香料前駆体の分解が抑制されているので、繊維処理剤として使用した後に硫黄含有香料前駆体から放出される香気の持続性に優れた繊維処理剤として有用である。
【発明を実施するための形態】
【０００８】
本発明の繊維処理剤組成物は、下記（Ａ）〜（Ｃ）成分：
（Ａ）カチオン性界面活性剤、
（Ｂ）硫黄含有香料前駆体、及び
（Ｃ）水溶性溶剤
を含み、かつ、（Ａ）成分の含量が、該繊維処理剤組成物の総質量に対して０．０１〜１質量％である、繊維処理剤組成物である。
但し、本発明の繊維処理剤組成物は柔軟剤組成物ではない。また、本発明の繊維処理剤組成物は、柔軟剤の必須成分である柔軟基剤を含まない。
【０００９】
［（Ａ）成分］
（Ａ）成分はカチオン性界面活性剤である。（Ａ）成分は、繊維処理剤使用前の（Ｃ）成分による（Ｂ）成分の分解を抑制するために配合する。
【００１０】
（Ａ）成分の具体例としては、３級アミンの４級化物である４級アンモニウム化合物等が挙げられ、４級アンモニウム化合物が好ましい。
４級アンモニウム化合物としては、下記一般式（Ａ−１）で表される化合物が好ましい。
【００１１】
2017214670.tif 000005
【００１２】
（式中、
Ｒは、それぞれ独立して、炭素数１〜２４のアルキル基（該アルキル基は、酸素及び／又はベンゼン環を更に含んでいてもよく、又は、窒素原子と一緒になってピリジン環を形成してもよい）を表し、
但し、少なくとも１つのＲは、炭素数１〜３の直鎖又は分岐したアルキル基であり、
Ｘは陰イオンを表す。）
【００１３】
一般式（Ａ−１）において、Ｒの「炭素数１〜２４のアルキル基」の炭素数は、好ましくは８〜１８、より好ましくは４〜１０である。
Ｒは、同一であってもよく、異なっていてもよい。
また、前記アルキル基は酸素及び／又はベンゼン環を更に含んでいてもよい。また、前記アルキル基は、窒素原子と一緒になってピリジン環を形成してもよい。
但し、一般式（Ａ−１）において、少なくとも１つのＲは「炭素数１〜３の直鎖又は分岐したアルキル基」である。「炭素数１〜３の直鎖又は分岐したアルキル基」の数は１〜３であることが好ましい。「炭素数１〜３の直鎖又は分岐したアルキル基」が複数存在する場合、当該アルキル基は同一であってもよく、異なっていてもよい。
一般式（Ａ−１）において、Ｘ-の「陰イオン」としては、Ｃｌ-、Ｂｒ-、ＣＨ3ＳＯ4-やＣ2Ｈ5ＳＯ4-や挙げられ、Ｃｌ-が好ましい。
一般式（Ａ−１）で表される４級アンモニウム化合物としては、
アルキル基の炭素数が８〜１８のモノアルキルトリメチルアンモニウム塩、
各アルキル基の炭素数が４〜１０のジアルキルジメチルアンモニウム塩、
アルキル基の炭素数が８〜１８のアルキルベンジルジメチルアンモニウム塩、及び
アルキル基の炭素数が８〜１８のアルキルピリジニウム塩等が好ましく、
アルキル基の炭素数が８〜１８のモノアルキルトリメチルアンモニウム塩、及び
各アルキル基の炭素数が４〜１０のジアルキルジメチルアンモニウム塩がより好ましく、
Ｃ１６〜Ｃ１８アルキルトリメチルアンモニウムクロライド（特に、ステアリルトリメチルアンモニウムクロライド）及びジデシルジメチルアンモニウムクロライドが特に好ましい。
【００１４】
（Ａ）成分は、１種類のカチオン性界面活性剤を単独で用いてもよく、２種類以上のカチオン性界面活性剤からなる混合物として用いてもよい。
配合目的の更なる向上の観点からは、（Ａ）成分が一般式（Ａ−１）で表される化合物を含有することが好ましく、（Ａ）成分が一般式（Ａ−１）で表される化合物のみからなることが更に好ましい。
【００１５】
（Ａ）成分は、市場において容易に入手可能であるか、又は、公知の方法によって合成可能である。
【００１６】
（Ａ）成分の含量は、繊維処理剤組成物の総質量に対して０．０１〜１質量％、好ましくは０．０５〜１質量％、より好ましくは０．１〜１質量％である。
（Ａ）成分の含量が０．０１質量％以上であると、配合効果（繊維処理剤使用前の（Ｃ）成分による（Ｂ）成分の分解抑制）を十分に得ることができる。
（Ａ）成分の含量が１質量％以下であると、繊維製品に使用した際にべたつきやシミを生じることなく、配合効果を得ることができる。
【００１７】
［（Ｂ）成分］
（Ｂ）成分は、硫黄含有香料前駆体である。「硫黄含有香料前駆体」とは、香料と、硫黄を含有する不揮発性の基質とを化学的に結合させた化合物をいう。香料前駆体自体は香りを出さないが、熱や光、水等のトリガーにより香料と基質との間の結合が切断されると香料が放出されて、香りを出す。そのため、香料前駆体で衣類を処理すると、当該衣類の着用後や保管後など、使用場面の後半においても香料としての効果を発揮することが知られている。
（Ｂ）成分は、繊維処理剤による処理後の繊維製品への香り付けのために配合する。
【００１８】
硫黄含有香料前駆体としては、液体柔軟剤組成物へ一般的に用いられているものを特に制限なく用いることができる。好ましくは、下記一般式（Ｂ−１）で表される化合物を（Ｂ）成分の硫黄含有香料前駆体として用いることができる。
Ｙ−Ｓ−Ｇ−Ｑ  （Ｂ−１）
【００１９】
一般式（Ｂ−１）中、
Ｙは、以下に示した基（Ｙ−１）〜（Ｙ−７）からなる群より選択される基又はその異性体を表し、
【００２０】
2017214670.tif 000006
【００２１】
（（Ｙ−１）〜（Ｙ−７）の各式中、波線はＹ−Ｓ結合の位置を表し、点線は単結合又は二重結合の位置を表す）、
Ｓは、硫黄原子を表し、
Ｇは、２〜１５個、好ましくは１０〜１４の炭素原子を有する直鎖状又は分枝鎖状のアルキル基又はアルケニル基から誘導される２価又は３価の基を表し（前記２価又は３価の基は、場合により−ＯＲ11、−ＮＲ112、−ＣＯＯＲ11及びＲ11基（各基中、Ｒ11は、水素原子又はＣ1〜Ｃ6アルキル基又はアルケニル基を表す）からなる群から選択される１つ以上の基で置換されていてもよい）、
Ｑは、水素原子、−Ｓ−Ｙ基又は−ＮＲ12−Ｙ基（各基中、Ｙは上記のように規定され、且つ、Ｒ12が水素原子又はメチル基である）を表す。
【００２２】
ここで、一般式（Ｂ−１）中の（Ｙ−１）〜（Ｙ−７）の各式で表される基の「異性体」とは、各基が化学構造上に採りうる異性体、例えば、立体異性体などをいう。
【００２３】
一般式（Ｂ−１）で表される化合物は、１種類を単独で用いてもよく、２種以上を適宜組み合わせてもよい。
【００２４】
一般式（Ｂ−１）で表される化合物の好ましい例としては、メチル又はエチル２−（４−オキソ−４−（２，６，６−トリメチルシクロヘキサ−３−エン−１−イル）ブタン−２−イルアミノ）−３−（４−オキソ−４−（２，６，６−トリメチルシクロヘキサ−３−エン−１−イル）ブタン−２−イルチオ）プロパネート、メチル又はエチル２−（４−オキソ−４−（２，６，６−トリメチルシクロヘキサ−２−エン−１−イル）ブタン−２−イルアミノ）−３−（４−オキソ−４−（２，６，６−トリメチルシクロヘキサ−２−エン−１−イル）ブタン−２−イルチオ）プロパネート、メチル又はエチル２−（２−オキソ−４−（２，６，６−トリメチルシクロヘキサ−１−エン−１−イル）ブタン−４−イルアミノ）−３−（２−オキソ−４−（２，６，６−トリメチルシクロヘキサ−１−エン−１−イル）ブタン−４−イルチオ）プロパネート、メチル又はエチル２−（２−オキソ−４−（２，６，６−トリメチルシクロヘキサ−２−エン−１−イル）ブタン−４−イルアミノ）−３−（２−オキソ−４−（２，６，６−トリメチルシクロヘキサ−２−エン−１−イル）ブタン−４−イルチオ）プロパネート、３−（ドデシルチオ）−１−（２，６，６−トリメチルシクロヘキサ−３−エン−１−イル）−１−ブタノン、３−（ドデシルチオ）−１−（２，６，６−トリメチルシクロヘキサ−２−エン−１−イル）−１−ブタノン、４−（ドデシルチオ）−４−（２，６，６−トリメチルシクロヘキサ−２−エン−１−イル）−２−ブタノン、４−（ドデシルチオ）−４−（２，６，６−トリメチルシクロヘキサ−１−エン−１−イル）−２−ブタノン、２−ドデシルスルファニル−５−メチル−ヘプタン−４−オン、２−シクロヘキシル−１−ドデシルスルファニル−ヘプト−６−エン−３−オン及び３−（ドデシルチオ）−５−イソプロペニル−２−メチルシクロヘキサノンからなる群から選ばれる化合物が挙げられる。
香りの持続性を高める観点から、更に好ましくは、３−（ドデシルチオ）−１−（２，６，６−トリメチルシクロヘキサ−３−エン−１−イル）−１−ブタノン、４−（ドデシルチオ）−４−（２，６，６−トリメチルシクロヘキサ−２−エン−１−イル）−２−ブタノン、４−（ドデシルチオ）−４−（２，６，６−トリメチルシクロヘキサ−１−エン−１−イル）−２−ブタノン及び３−（ドデシルチオ）−５−イソプロペニル−２−メチルシクロヘキサノンからなる群より選ばれる化合物が挙げられ、
最も好ましくは、３−（ドデシルチオ）−１−（２，６，６−トリメチルシクロヘキサ−３−エン−１−イル）−１−ブタノン及び４−（ドデシルチオ）−４−（２，６，６−トリメチルシクロヘキサ−２−エン−１−イル）−２−ブタノンからなる群より選ばれる化合物が挙げられる。
【００２５】
（Ｂ）成分は、市場において容易に入手可能であるか、又は、公知の方法によって合成可能である。
【００２６】
（Ｂ）成分は、１種類の硫黄含有香料前駆体を単独で用いてもよく、２種類以上からなる混合物として用いてもよい。
【００２７】
（Ｂ）成分の含量は、配合目的を達成できる量である限り特に限定されないが、繊維処理剤組成物の総質量に対し、好ましくは０．０００１〜０．１質量％、より好ましくは０．０００５〜０．０５質量％、さらに好ましくは０．００１〜０．０２質量％である。
【００２８】
また、繊維処理剤組成物の香気持続性の更なる向上の点において、（Ｂ）成分に対する（Ａ）成分の質量比（（Ａ）成分の質量／（Ｂ）成分の質量）は、好ましくは０．１〜１００００であり、より好ましくは１〜１５００であり、更に好ましくは５〜５００である。
【００２９】
［（Ｃ）成分］
（Ｃ）成分は、水溶性溶剤である。（Ｃ）成分は、繊維製品へ適用された繊維処理剤組成物の乾燥を促進するために配合する。
本発明で用いる水溶性溶剤としては、繊維処理剤組成物に一般的に使用されているものを特に制限なく使用することができる。
「水溶性溶剤」とは、任意の比率で水と混ざり、透明な混合液を提供できる溶剤をいう。具体例としては、炭素数２〜３の１級アルコール（例えば、エタノールや、イソプロパノール等）、炭素数２〜６のグリコール類（例えば、エチレングリコール、プロピレングリコールや、ジプロピレングリコール等）、並びに炭素数３〜８の多価アルコール類（例えば、グリセリンや、ジエチレングリコールモノブチルエーテル等）等が挙げられる。
これらの中では、繊維処理剤組成物から生ずる香気への影響なく、かつ、低価格である点で、エタノール、グリセリン、ジエチレングリコールモノブチルエーテルが好ましく、エタノールがより好ましい。
【００３０】
（Ｃ）成分は、市場において容易に入手可能であるか、又は、公知の方法によって合成可能である。
【００３１】
（Ｃ）成分は、１種類の水溶性溶剤を単独で用いてもよく、２種類以上からなる混合物として用いてもよい。
【００３２】
（Ｃ）成分の含量は、配合目的を達成できる量である限り特に限定されないが、繊維処理剤組成物の総質量に対し、好ましくは５〜３０質量％、より好ましくは１０〜２０質量％である。
（Ｃ）成分の含量が５質量％以上であると、配合効果を十分に得ることができる。
（Ｃ）成分の含量が３０質量％以下であると、繊維処理剤組成物の使用性を十分に維持しつつ（使用者が（Ｃ）成分によってむせることなく）、配合効果を得ることができる。
【００３３】
［任意成分］
本発明の繊維処理剤組成物には、本発明の効果を損なわない範囲で、必要に応じて、上記（Ａ）〜（Ｃ）の必須成分以外の下記の任意成分を配合してもよい。
但し、本発明の繊維処理剤組成物は柔軟剤として使用されるものではないので、本発明の繊維処理剤組成物は柔軟剤の必須成分である柔軟基剤を含まない。
【００３４】
［（Ｄ）成分］
（Ｄ）成分は、２価の水溶性金属塩又はその水和物である。「２価の水溶性金属塩」とは、25℃の水１Lに10ｇ以上溶解する２価の金属塩をいう。
（Ｄ）成分は、繊維処理剤組成物へ消臭効果を付与するために配合する。
（Ｄ）成分の具体例としては、水溶性亜鉛塩（例えば、硫酸亜鉛や、塩化亜鉛等）、水溶性銅塩（例えば、硫酸銅や、塩化銅等）、水溶性鉄塩（例えば、硫酸鉄等）や、水溶性マンガン塩（例えば、塩化マンガン）等があげられる。これらの中では、消臭性能に優れる水溶性亜鉛塩（特に硫酸亜鉛や、塩化亜鉛）及び水溶性銅塩（特に、硫酸銅）並びにこれらの水和物が好ましく、硫酸亜鉛及びその水和物並びに硫酸銅及びその水和物が更に好ましく、硫酸亜鉛及び硫酸銅水和物がより好ましく、硫酸亜鉛及び硫酸銅５水和物が特に好ましい。
【００３５】
（Ｄ）成分は、市場において容易に入手可能であるか、又は、公知の方法によって合成可能である。
【００３６】
（Ｄ）成分は、１種類の「２価の水溶性金属塩又はその水和物」を単独で用いてもよく、２種類以上からなる混合物として用いてもよい。２種類以上を併用する場合には、水溶性亜鉛塩を少なくとも用いることが好ましい。
【００３７】
（Ｄ）成分の含量は、配合目的を達成できる量である限り特に限定されないが、繊維処理剤組成物の総質量に対し、０．０１〜１０質量％であることが好ましく、０．０５〜５質量％であることがより０．１〜１質量％が更に好ましい。
（Ｄ）成分の含量が０．０１質量％以上であると、配合効果を十分に得ることができる。
（Ｄ）成分の含量が１０質量％以下であると、繊維処理剤組成物の保存安定性を十分に維持し、かつ、繊維製品にしみや変色等の不具合を生じさせることなく、配合効果を得ることができる。
【００３８】
［（Ｅ）成分］
（Ｅ）成分は、下記一般式（Ｅ−１）〜（Ｅ−３）で表される化合物である。
（Ｅ）成分は、繊維処理剤組成物へ消臭効果を付与するために配合する。
【００３９】
一般式（Ｅ−１）：
【００４０】
2017214670.tif 000007
【００４１】
式（Ｅ−１）中、
ＡIは炭素数８〜２２の直鎖又は分岐アルキル基、スルホ基、アミノ基、水酸基、水素原子又はＣＯＯＭIを表す。ＡIとしては、ＣＨ3、ＯＨ、Ｈ、ＣＯＯＭIが好ましく、ＣＨ3、Ｈがより好ましく、ＣＨ3が特に好ましい。
ＭIは、互いに同一でも異なっていてもよく、それぞれ水素原子、アルカリ金属、アルカリ土類金属、カチオン性アンモニウム基、アルカノールアミンからなる群より選ばれる１種を示す。アルカリ金属としては、ナトリウム、カリウムが好ましい。アルカノールアミンとしては、モノエタノールアミン、ジエタノールアミン、トリエタノールアミンが好ましい。ＭIとしては、アルカリ金属が好ましく、ナトリウムが特に好ましい。
ｍI及びｎIは、それぞれ０〜２の整数である。ｍIは、好ましくは０又は１である。ｎIは、好ましくは０又は１である。ｍIとｎIとがいずれも０の場合、ＡIは、ＣＨ3である。
前記式（Ｅ−１）で表される化合物のなかで好適なものとしては、メチルグリシンジ酢酸（ＭＧＤＡ）、アスパラギン酸ジ酢酸（ＡＳＤＡ）、イソセリンジ酢酸（IＳＤＡ）、β−アラニンジ酢酸（ＡＤＡＡ）、セリンジ酢酸（ＳＤＡ）、グルタミン酸ジ酢酸（ＧＬＤＡ）、又はこれらの塩が挙げられる。なかでもＭＧＤＡ又はその塩が好ましい。
【００４２】
一般式（Ｅ−２）：
【００４３】
2017214670.tif 000008
【００４４】
式（Ｅ−２）中、ＸII-1〜ＸII-4は同一でも異なっていてもよく、それぞれ水素原子、アルカリ金属、アルカリ土類金属、カチオン性アンモニウム基、アルカノールアミンからなる群より選ばれる１種を表す。アルカリ金属としては、ナトリウム、カリウムが好ましい。アルカノールアミンとしては、モノエタノールアミン、ジエタノールアミン、トリエタノールアミンが好ましい。
ＱIIは水素原子または炭素数８〜２２の直鎖又は分岐アルキル基を表す。
ＲIIは水素原子または水酸基を表す。
ｎIIは０または１を表す。
前記式（Ｅ−２）で表される化合物のなかで好適なものとしては、イミノジコハク酸（ＩＤＳ）、ヒドロキシイミノジコハク酸（ＨIＤＳ）、又はこれらの塩が挙げられ、なかでもＩＤＳ又はその塩がより好ましい。
【００４５】
一般式（Ｅ−３）：
【００４６】
2017214670.tif 000009
【００４７】
式（Ｅ−３）中、
ＲIIIは、炭素数８〜２２、好ましくは１２〜１８の直鎖又は分岐アルキル又はアルケニル基を表す。
ＡIIIは、Ｈ、メチル基又は（ＣＨ2）ｍIII−ＣＯＯＸIIIを表す。ＡIIIとしては、（ＣＨ2）ｍIII−ＣＯＯＸIIIが好ましい。ｍIIIは、１〜３のいずれかの数を表す。
ＸIIIは、Ｈ、アルカリ金属、アルカリ土類金属、アルカノールアミン又はＮＨ4を表わす。アルカリ金属としては、ナトリウム、カリウムが好ましい。アルカノールアミンとしては、モノエタノールアミン、ジエタノールアミン、トリエタノールアミンが好ましい。
ｎIIIは１〜３のいずれかを表す。
前記式（Ｅ−３）で表わされる化合物の具体例としては、オクチルアミノ酢酸ナトリウム、ラウリルアミノ酢酸ナトリウム、ミリスチルアミノ酢酸ナトリウム、パルミチルアミノ酢酸ナトリウム、オレイルアミノ酢酸ナトリウム等のアルキル及びアルケニルアミノ酢酸塩；
オクチルアミノプロピオン酸ナトリウム、デシルアミノプロピオン酸ナトリウム、ラウリルアミノプロピオン酸ナトリウム、ミリスチルアミノプロピオン酸ナトリウム、パルミチルアミノプロピオン酸ナトリウム、オレイルアミノプロピオン酸ナトリウム等のアルキル及びアルケニルアミノプロピオン酸塩；
Ｎ‐オクチルグリシンナトリウム、N‐デシルグリシンナトリウム、Ｎ‐ラウリルグリシンナトリウム、Ｎ‐ミリスチルグリシンナトリウム、Ｎ‐パルミチルグリシンナトリウム、Ｎ‐オレイルグリシンナトリウム等のＮ‐アルキル及びアルケニルグリシン塩；
Ｎ‐オクチル‐Ｎ‐メチル‐β‐アラニンナトリウム、Ｎ‐デシル‐Ｎ‐メチル‐β‐アラニンナトリウム、Ｎ‐ドデシル‐Ｎ‐メチル‐β‐アラニンナトリウム、Ｎ‐ミリスチル‐Ｎ‐メチル‐β‐アラニンナトリウム、Ｎ‐パルミチル‐Ｎ‐メチル‐β‐アラニンナトリウム、Ｎ‐オレイル‐Ｎ‐メチル‐β‐アラニンナトリウム等のＮ‐アルキル及びアルケニル‐Ｎ‐メチル‐β‐アラニン塩；
オクチルアミノジ酢酸ナトリウム、デシルアミノジ酢酸ナトリウム、ラウリルアミノジ酢酸ナトリウム、ミリスチルアミノジ酢酸ナトリウム、パルミチルアミノジ酢酸ナトリウム、オレイルアミノジ酢酸ナトリウム等のアルキル及びアルケニルアミノジ酢酸塩；及び  オクチルアミノジプロピオン酸ナトリウム、デシルアミノジプロピオン酸ナトリウム、ラウリルアミノジプロピオン酸ナトリウム、ミリスチルアミノジプロピオン酸ナトリウム、パルミチルアミノジプロピオン酸ナトリウム、オレイルアミノジプロピオン酸ナトリウム等のアルキル及びアルケニルアミノジプロピオン酸塩等が挙げられる。
これらの中では、保存安定性から考えて、アルキル及びアルケニルアミノジ酢酸塩が好ましく、その中でもデシルアミノジ酢酸、ラウリルアミノジ酢酸、ミリスチルアミノジ酢酸、パルミチルアミノジ酢酸又はその塩が好ましく、特にラウリルアミノジ酢酸、ミリスチルアミノジ酢酸、パルミチルアミノジ酢酸又はその塩がより好ましい。
【００４８】
（Ｅ）成分としては、式（Ｅ−１）で表される化合物及び式（Ｅ−２）で表される化合物が好ましく、ＭＧＤＡ、ＩＤＳ及びこれらの塩が更に好ましい。ＭＧＤＡ及びその塩が最も好ましい。
【００４９】
（Ｅ）成分は、市場において容易に入手可能であるか、又は、公知の方法によって合成可能である。
【００５０】
（Ｅ）成分は、１種類の化合物を単独で用いてもよく、２種類以上からなる混合物として用いてもよい。
【００５１】
（Ｅ）成分の含量は、配合目的を達成できる量である限り特に限定されないが、繊維処理剤組成物の総質量に対し、好ましくは０．０５質量％〜１５質量％、より好ましくは０．１質量％〜１０質量％、特に好ましくは０．１質量％〜５質量％である。
（Ｅ）成分の含量が０．０５質量％以上であると、配合効果を十分に得ることができる。
（Ｅ）成分の含量が１５質量％以下であると、繊維製品にしみや変色等の不具合を生じさせることなく、配合効果を得ることができる。
【００５２】
［（Ｆ）成分］
（Ｆ）成分は、非イオン界面活性剤である。
（Ｆ）成分は、繊維処理剤組成物の分散安定性を高めるために配合する。
（Ｆ）成分の具体例としては、
炭素数10〜22のアルキル基又はアルケニル基を有し、オキシエチレン基の平均付加モル数が10〜100モルであるポリオキシエチレンアルキルエーテル、ポリオキシエチレン脂肪酸アルキル（Ｃ1〜3）エステルや、
オキシエチレン基の平均付加モル数が10〜100モルであるポリオキシエチレンアルキルアミン、
炭素数8〜18のアルキル基又はアルケニル基を有するアルキルポリグルコシド、
オキシエチレン基の平均付加モル数が20〜100モルである硬化ヒマシ油、
などが挙げられる。
中でも、炭素数10〜14のアルキル基を有し、オキシエチレン基の平均付加モル数が5〜20モルのポリオキシエチレンアルキルエーテル、オキシエチレン基の平均付加モル数が30〜50モルである硬化ヒマシ油が好ましい。
【００５３】
（Ｆ）成分は、市場において容易に入手可能であるか、又は、公知の方法によって合成可能である。
【００５４】
（Ｆ）成分は、１種類の非イオン界面活性剤を単独で用いてもよく、２種類以上からなる混合物として用いてもよい。
【００５５】
（Ｆ）成分の含量は、配合目的を達成できる量である限り特に限定されないが、繊維処理剤組成物の総質量に対し、好ましくは０．０１〜５質量％、より好ましくは０．１〜３質量％である。
（Ｆ）成分の含量が上記の範囲にあると、配合効果を十分に得ることができる。
【００５６】
［（Ｇ）成分］
繊維処理剤組成物は、好ましくは水を含む液体状の水性組成物である。
水としては、水道水、イオン交換水、純水、蒸留水など、いずれも用いることができる。中でもイオン交換水が好適である。
【００５７】
［他の任意成分］
その他の任意成分としては、キレート剤、再汚染防止剤、高分子、防腐剤、抗菌剤、防カビ剤、忌避剤、天然物などのエキス、分散剤、色素、酸化防止剤、増粘剤、減粘剤、紫外線吸収剤など、安全性が高くしかも通常の繊維処理剤組成物に使用されるものであればどのようなものでもよく、特に限定されるものではない。
本発明における上記任意成分の配合量は、繊維処理剤組成物の総質量に対し、上限が好ましくは５質量％以下、より好ましくは３質量％以下である。
【００５８】
抗菌剤及び防カビ剤について、繊維製品上での菌の増殖を抑制し、不快臭の発生を抑制する観点から、有機系防菌防黴剤、無機系防菌防黴剤の中から１種を単独で又は２種以上を混合して用いることができる。
有機系防菌防黴剤としては、アルコール系、フェノール系、アルデヒド系、カルボン酸系、エステル系、エーテル系、ニトリル系、過酸化物・エポキシ系、ハロゲン系、ピリジン・キノリン系、トリアジン系、イソチアゾロン系、イミダゾール・チアゾール系、アニリド系、ビグアナイド系、ジスルフィド系、チオカーバメート系、糖質系、トロポロン系、有機金属系のものが挙げられる。
無機系防菌防黴剤としては、金属酸化物、銀系のものが挙げられる。
抗菌剤及び防カビ剤の含量は、配合目的を達成できる量である限り特に限定されないが、例えば、イソプロピルメチルフェノールなどの抗菌剤（或いは除菌剤）を用いる場合、繊維処理剤組成物の総質量に対し、０．０５〜１質量％の範囲で配合することが好ましい。
【００５９】
また、繊維処理剤組成物に含まれる成分の保存安定性をより向上するために、ｐＨ調整剤を配合できる。ｐＨ調整剤としては、酸（例えば、無機酸（例えば塩酸や、硫酸等）や、カルボン酸（例えば、酢酸や、クエン酸等）や、アルカリ（例えば、アルカリ金属塩（例えば、水酸化ナトリウム等）や、アルカノールアミン（例えば、トリエタノールアミン等））が挙げられる。
【００６０】
繊維処理剤組成物には、（Ｂ）成分（硫黄含有香料前駆体）以外の香料を任意成分として配合することができる。
香料としては当該技術分野で汎用の香料を使用可能であり特に限定されないが、例えば特開2008-7872号公報に記載されているような香料成分、溶剤、安定化剤を含有する香料組成物が挙げられる。
（Ｂ）成分以外の香料としては、１種類の香料を単独で用いてもよく、２種類以上からなる混合物として用いてもよい。
（Ｂ）成分以外の香料の含量は、配合目的を達成できる量である限り特に限定されないが、繊維処理剤組成物の総質量に対して、好ましくは０．００５〜５質量％であり、香り付けの効果と経済性の観点からより好ましくは０．０１〜１質量％である。
【００６１】
また、シリコーン化合物を配合して、しわ取り機能を繊維処理剤組成物へ付与することもできる。シリコーン化合物としては、ジメチルシリコーン、ポリエーテル変性シリコーン、メチルフェニルシリコーン、アルキル変性シリコーン、高級脂肪酸変性シリコーン、メチルハイドロジェンシリコーン、フッ素変性シリコーン、エポキシ変性シリコーン、カルボキシ変性シリコーン、カルビノール変性シリコーン及びアミノ変性シリコーンなどが挙げられる。シリコーン化合物としては、ポリエーテル変性シリコーンが好ましく、中でもＨＬＢが１３以下、好ましくは10以下、更に好ましくは７以下のポリエーテル変性シリコーンが、着用じわを減少させる観点から好ましい。具体的には東レ・ダウコーニング社製のSH3775C、SH3772CやSH3775Mなどの化合物が好適である。
シリコーン化合物の含量は、配合目的を達成できる量である限り特に限定されないが、繊維処理剤組成物の総質量に対して、好ましくは０．０１〜５質量％であり、しわ減少効果と経済性の観点からより好ましくは０．１〜１質量％である。
【００６２】
［繊維処理剤組成物のｐＨ］
繊維処理剤組成物のｐＨは特に限定されないが、当該組成物の貯蔵安定性や芳香性を十分に確保するために、上記のｐＨ調整剤を用いて繊維処理剤組成物のｐＨを一定の範囲に調整することが好ましい。
例えば、繊維処理剤組成物のｐＨが３〜８、好ましくは３〜６．５であると、タバコ臭のある繊維製品に対して優れた香り付与効果を発揮することができる。また、繊維処理剤組成物のｐＨが４〜９、好ましくは５．５〜９であると、枕カバー臭や体臭のある繊維製品に対して優れた香り付与効果を発揮することができる。
また、繊維処理剤組成物の保存安定性の観点からは、当該組成物のｐＨは６．５以下が好ましく、５以下であると更に好ましい。
なお、上記のｐＨは２５℃における値をいう。
【００６３】
［繊維処理剤組成物の粘度］
繊維処理剤組成物の粘度は、その使用性を損なわない限り特に限定されないが、１０ｍＰａ・ｓ未満であることが好ましい。繊維処理剤組成物をスプレー容器に入れて噴霧して使用する場合には、５ｍＰａ・ｓ以下であることがより好ましい。なお、ここで示す粘度とは、Ｂ型粘度計（トキメック社製）を用いて、原液を２５℃で測定した場合の数値である。
【００６４】
［繊維処理剤組成物の製造方法］
本発明の繊維処理剤組成物は定法により製造することができる。例えば、（Ａ）成分、（Ｃ）成分及びシリコーン化合物（任意成分）を均一に混合した後、（Ｂ）成分及び（Ｂ）成分以外の香料（任意成分）を添加して攪拌し、引き続き、（Ｄ）成分及び（Ｅ）成分（いずれも任意成分）を添加して攪拌した後、残りの（Ｇ）成分（任意成分）を添加して製造することができる。
また、例えば、（Ｃ）成分に、（Ａ）成分、（Ｂ）成分及び必要により任意成分（例えばシリコーン化合物、非イオン界面活性剤等）を添加して混合後、水をある程度添加し、混合する。その後必要であればｐＨ調整剤（例えば、水酸化ナトリウム、塩酸や硫酸）を用い、ｐＨメーター（例えば、Mettler Toledo社製 型番ＭＰ２３０）で、配合物をスターラーにて攪拌したままｐＨを調整した後、残りの水を添加することにより製造することもできる。
【００６５】
［繊維処理剤組成物の使用方法］
本発明の繊維処理剤組成物は繊維製品に香りを付与するために用いる（すなわち、芳香剤として用いる）ことができる。
また、消臭成分である（Ｄ）成分や（Ｅ）成分を含む場合には、消臭剤としても用いることができる。
更に、しわとり成分シリコーン化合物を含む場合には、しわとり剤としても用いることができる。
繊維製品への適用方法は特に限定されない。例えば、繊維製品を繊維処理剤組成物中に浸漬した後風乾してもよいし、繊維処理剤組成物をスプレー容器に収納し、繊維製品に対して当該組成物を噴霧した後風乾してもよい。特に、家庭においても手軽に実施できる簡便性や、必要量の繊維処理剤組成物を繊維製品のニオイが気になる部位のみへ適用できるという経済性の点から、繊維処理剤組成物をスプレー容器に収納し、繊維製品に噴霧して使用する方法が好ましい。
スプレー容器としては、エアゾールスプレー容器、トリガースプレー容器（直圧型あるいは蓄圧型）や、ディスペンサースプレー容器等が挙げられる。エアゾールスプレー容器の例としては、特開平9-3441号公報、及び特開平9-58765号公報等に記載されているものが挙げられる。
また、噴射剤としてはＬＰＧ（液化プロパンガス）、ＤＭＥ（ジメチルエーテル）、炭酸ガスや、窒素ガス等が挙げられ、これらは単独で使用しても良く、２種以上を混合して使用しても良い。
トリガースプレー容器の例としては、特開平9-268473号公報、特開平9-256272号公報、特開平10-76196号公報等に記載のものが挙げられる。
ディスペンサースプレー容器の例としては、特開平9-256272号公報等に記載のものが挙げられる。
本発明の繊維処理剤組成物を、対象となる繊維製品に噴霧して使用する場合の噴霧量は、繊維製品へ付着したニオイの強度にもよるため、特に限定はされないが、繊維製品の質量に対して、下限が好ましくは５質量％以上、より好ましくは10質量％以上、更に好ましくは20質量％以上であり、上限は好ましくは100質量％以下、より好ましくは80質量％以下、更に好ましくは50質量％以下である。噴霧量がこの範囲内にあると、香り付与効果及び経済性に優れるので好ましい。
【００６６】
また、本発明の繊維処理剤組成物は、プラスチック製容器に収納することができる。プラスチック製容器としては、ボトル容器や詰替え用のスタンディングパウチ等が挙げられる。スタンディングパウチとしては、例えば、特開2000-72181号公報に記載のものが挙げられる。スタンディングパウチとしては、二層構造（内層に100〜250μｍの線状低密度ポリエチレン及び外層に15〜30μｍの延伸ナイロンを使用）又は三層構造（内層に100〜250μｍの線状低密度ポリエチレン、中間層に15μｍの延伸ナイロン、及び外層に15μｍの延伸ナイロンを使用）のスタンディングパウチが保存安定性の点から好ましい。
【００６７】
本発明の繊維処理剤組成物を使用する対象となる繊維製品としては、特に限定されないが、例えば、Ｙシャツ、Ｔシャツ、ポロシャツ、ブラウス、チノパン、スーツ、スラックス、スカート、ジャケット、コート、ニット、ジーンズ、パジャマ、テーブルクロス、ランチョンマット、カーテン、クッション、座布団、ソファ、枕カバー、シーツ、ベッドパッド、枕、布団、ベッドカバー、毛布、マットレス、靴、トイレマット、バスマット、玄関マット、カーペット、ラグ、絨毯等が挙げられる。
また、対象とする繊維製品の素材も、特に限定されないが、例えば、綿、ウール、麻等の天然繊維、ポリエステル、ナイロン、アクリル等の合成繊維、アセテート等の半合成繊維、レーヨン、テンセル、ポリノジック等の再生繊維及びこれら各種繊維の混紡品、混織品、混編品等が挙げられ、その中でも、普段の手入れが困難なウール及びその混紡品において、本発明の繊維処理剤組成物の効果が顕著に発揮される。
【実施例】
【００６８】
以下、実施例により本発明を更に詳細に説明するが、本発明はこれに限定されるものではない。
尚、実施例及び比較例において、各成分の配合量はすべて質量％（指定のある場合を除き、純分換算）を示す。
【００６９】
実施例及び比較例の繊維処理剤組成物の製造に用いた成分及び製造方法を以下に示す。
【００７０】
（Ａ）成分：カチオン性界面活性剤
カチオン界面活性剤として、下記のＡ−１〜Ａ−３を使用した。
Ａ−１：塩化ジデシルジメチルアンモニウム（リポカード210-80E、ライオン・スペシャリティ・ケミカルズ（株）製）
Ａ−１は、一般式（Ａ−１）中、２つのＲが炭素数１０の直鎖アルキル基（デシル基）であり、他の２つのＲが炭素数１の直鎖アルキル基（メチル基）であり、Ｘ-が塩素イオンである化合物である。
Ａ−２：塩化ジヤシアルキルジメチルアンモニウム（リポカード2C-75、ライオン・スペシャリティ・ケミカルズ（株）製）
Ａ−２は、一般式（Ａ−１）中、２つのＲが炭素数８〜１８の直鎖アルキル基であり、他の２つのＲが炭素数１の直鎖アルキル基（メチル基）であり、Ｘ-が塩素イオンである化合物である。
Ａ−３：塩化アルキルトリメチルアンモニウム（リポカード T-800、ライオン・スペシャリティ・ケミカルズ（株）製）
Ａ−３は、一般式（Ａ−１）中、１つのＲが炭素数１６〜１８の直鎖アルキル基であり、他の３つのＲが炭素数１の直鎖アルキル基（メチル基）であり、Ｘ-が塩素イオンである化合物である。
比較例では、（Ａ）成分として、カチオン性界面活性剤ではない下記のＡ−４〜Ａ−５を使用した。
Ａ−４（非イオン性界面活性剤）：１級イソトリデシルアルコールエチレンオキシド６０モル付加物（商品名：ＴＡ６００−７５）
Ａ−５（アニオン性界面活性剤）：α-オレフィン(C14-18)スルホン酸Na塩（リポラン LB-840、ライオン・スペシャリティ・ケミカルズ（株）製）
【００７１】
（Ｂ）成分：硫黄含有香料前駆体
下記のＢ−１〜Ｂ−２を使用した。
Ｂ−１：３−（ドデシルチオ）−１−（２，６，６−トリメチルシクロヘキサ−３−エン−１−イル）−１−ブタノン。Ｂ−１は、特表2005-511710号公報の例4記載の化合物である。また、Ｂ−１は、一般式（Ｂ−１）：Ｙ−Ｓ−Ｇ−Ｑ中、ＹがＹ−１（３、４位に二重結合を有する）で表される基、Ｇが炭素原子１２個からなるドデシル基、Ｑが水素原子である化合物である。
Ｂ−２：４−（ドデシルチオ）−４−（２，６，６−トリメチルシクロヘキサ−２−エン−１−イル）−２−ブタノン。Ｂ−２は、原料としてドデカンチオール(東京化成工業株式会社製)とβヨノン（ヴェ・マンフィス香料株式会社製）とを用い、特表2005-511710号公報の例4に記載同様の方法で合成した。また、Ｂ−２は、一般式（Ｂ−１）：Ｙ−Ｓ−Ｇ−Ｑ中、ＹがＹ−２（１、２位に二重結合を有する）で表される基、Ｇが炭素原子１２個からなるドデシル基、Ｑが水素原子である化合物である。
【００７２】
（Ｃ）成分：水溶性溶剤
下記のＣ−１を使用した。
Ｃ−１：合成エタノール95%（日本アルコール販売）
【００７３】
（Ｄ）成分：２価の水溶性金属塩
下記のＤ−１を使用した。
Ｄ−１：硫酸亜鉛（II）（関東化学株式会社製）
【００７４】
（Ｅ）成分：
下記のＥ−１を使用した。
Ｅ−１：メチルグリシンジ酢酸３ナトリウム「ＭＧＤＡ」（BASF社製）
Ｅ−１は、一般式（Ｅ−１）中、ＡIがＣＨ3、ＭIがナトリウム、ｍIが０、ｎIが０である化合物である。
【００７５】
その他の任意成分：
シリコーン化合物として、下記のポリエーテル変性シリコーンを使用した。
ポリエーテル変性シリコーン（SH3775M）（東レ・ダウコーニング株式会社製）
また（Ｂ）成分以外の香料として、下記の表１に記載の香料組成物を使用した。
【表１】
2017214670.tif 000010
【００７６】
［繊維処理剤組成物の調製方法］
各成分の配合量を下記表２に記載の通り調整して、次の手順により繊維処理剤組成物を調製した。
１０００ｍＬビーカーに、表２に示す種類と配合量の（Ａ）成分、（Ｃ）成分およびシリコーン化合物を投入して、均一に混合した後、表２に示す種類と配合量の（Ｂ）成分および（Ｂ）成分以外の香料を添加し、マグネットスターラー（ＭＩＴＡＭＵＲＡ  ＫＯＧＹＯ  ＩＮＣ．製）を用いて十分に攪拌した。引き続き、表２に示す種類と配合量の（Ｄ）成分および（Ｅ）成分を添加して攪拌した後、全体量が１００質量％となるようにイオン交換水（表２中の（Ｇ−１）成分）を入れ、さらによく攪拌して繊維処理剤組成物を得た。
表２中、各成分の数値は、繊維処理剤組成物の総質量に対する配合量（質量％）である。
また、表２中の「（Ａ）／（Ｂ）」は、（Ｂ）成分に対する（Ａ）成分の質量比（（Ａ）成分の質量／（Ｂ）成分の質量）を示す。
【００７７】
［繊維処理剤組成物の評価］
実施例及び比較例の繊維処理剤組成物について、以下の手順により評価を行った。
（１）繊維処理剤組成物自体のニオイの評価
各繊維処理剤組成物を軽量ガラスビン（ＰＳ−Ｎｏ．１１、田沼硝子工業所製）にそれぞれ７０ｇ入れて密栓し、評価用のサンプルとし、においを官能評価した。この試験は、硫黄含有香料前駆体（（Ｂ）成分）から放出されるにおいを指標にして、繊維処理剤組成物の使用前における水溶性溶剤（（Ｃ）成分）による（Ｂ）成分の分解の程度を評価するために行った。具体的には、評価は、１０人のパネラーが下記基準に基づき官能評価し平均化した。平均値を表２の「使用前香気」欄に示す。商品価値上、３点以上を合格とした。
＜評価基準＞
５点：硫黄含有香料前駆体から放出される香料のにおいがほとんど感じられない
４点：硫黄含有香料前駆体から放出される香料のにおいがわずかに感じられる
３点：硫黄含有香料前駆体から放出される香料のにおいがやや感じられる
２点：硫黄含有香料前駆体から放出される香料のにおいがかなり感じられる
１点：硫黄含有香料前駆体から放出される香料のにおいがはっきり感じられる
【００７８】
（２）繊維処理剤組成物を噴霧した繊維製品のニオイの評価
垂直に立てたアクリル板（40cm×50cm）に試験布であるウールサージ布（15cm×20cm、5g）を洗濯ばさみでとめ、繊維処理剤組成物をディスペンサーポンプスプレー（スタイルガード  しわもニオイもすっきりスプレー、ライオン（株）製）を用いて、上記試験布に20cm離して同じ部分に3回噴霧した。噴霧直後、噴霧部分のにおいを官能評価した。この試験は、硫黄含有香料前駆体（（Ｂ）成分）から放出されるにおいを指標にして、繊維処理剤組成物の使用直後における水溶性溶剤（（Ｃ）成分）による（Ｂ）成分の分解の程度を評価するために行った。具体的には、評価は１０人のパネラーが下記基準に基づき官能評価し平均化した。平均値を表２の「使用直後香気」欄に示す。商品価値上、（Ｂ）成分は繊維処理剤使用後に持続的に香気を放出することが好ましいので、使用直後の（Ｂ）成分由来の香気が少ない（換言すれば、使用前の（Ｂ）成分の分解が少ない）もの（３点以上）を合格とした。
＜評価基準＞
５点：硫黄含有香料前駆体から放出される香料のにおいがほとんど感じられない
４点：硫黄含有香料前駆体から放出される香料のにおいがわずかに感じられる
３点：硫黄含有香料前駆体から放出される香料のにおいがやや感じられる
２点：硫黄含有香料前駆体から放出される香料のにおいがかなり感じられる
１点：硫黄含有香料前駆体から放出される香料のにおいがはっきり感じられる
【産業上の利用可能性】
【００７９】
本発明は、繊維処理剤分野において利用可能である。
【００８０】
【表２】
2017214670.tif 000011